(57)【特許請求の範囲】
【請求項１】
ゴム弾性を有するテープ基材の両面に粘着剤層を備え、壁面などの被取付面に対して吊下具などの被取付物を貼り付ける両面粘着テープを含み、上記両面粘着テープを上記被取付面とほぼ平行な方向に引っ張ることにより、上記粘着剤層の粘着力が弱められて、上記被取付面から引き剥がされる延伸剥離テープにおいて、
上記両面粘着テープの一端側には、上記両面粘着テープを引き剥がす際に把持される把持部が設けられているとともに、
上記両面粘着テープの他端側には、互いに対向する２つの角部から上記両面粘着テープの引張方向の中心線に向けて所定角度傾斜して切り込まれた第１および第２の２つの切れ目が、上記中心線を挟んで左右対称に非連結に設けられており、
上記被取付面には、上記両面粘着テープを剥がした際に、上記切れ目に沿って切断された上記粘着テープの残部が、上記被取付物を支持した状態で、塑性変形によって変形前の上記両面粘着テープの粘着力よりも粘着力が弱められて取り残されることを特徴とする延伸剥離テープ。
【請求項２】
上記残部は、上記両面粘着テープの体積の３〜１２％が取り残されることを特徴とする請求項１項に記載の延伸剥離テープ。
【請求項３】
上記残部は、台形状であることを特徴とする請求項１または２に記載の延伸剥離テープ。
【発明の詳細な説明】
【技術分野】
【０００１】
本発明は、壁面などの被取付面に沿って平行に引っ張って剥がす延伸剥離テープに関し、さらに詳しく言えば、フックなどの被取付物を壁面から安全に取り外すことができる延伸剥離テープに関する。
【背景技術】
【０００２】
壁紙を傷めずにポスターやフックなどを壁に貼り付ける方法の１つに延伸剥離テープがある。例えば特許文献１に記載されているように、延伸剥離テープとは、ゴム弾性を有する基材の両面に粘着剤を塗布してなる両面粘着テープであって、テープを壁面に沿って平行に引っ張ることにより、基材が弾性変形しながら徐々に剥がれてゆき、壁面を汚したりすることなくきれいに剥がし取ることができるという特徴がある。
【０００３】
一方で、基材が弾性変形しながら剥がれるが故に、剥がれる直前の両面粘着テープはほぼ最大限に伸びており、剥がれた瞬間に弾性復元力によって元に戻ろうとするため、両面粘着テープに貼り付けられたフックなどが、手元側に向かって勢いよく飛んで来て指を痛めるという問題があった。
【０００４】
この問題を解決するため、特許文献１では、両面粘着テープの一部に斜めの切れ目を入れることにより、両面粘着テープを引っ張った際に、切れ目によって引き剥がしの向きが斜めに代わるため、フックが指に向かって飛んでこないように工夫されている。
【０００５】
【特許文献１】特開２００６−１６９３８９号公報
【発明の開示】
【発明が解決しようとする課題】
【０００６】
しかしながら、上述した特許文献１においても、手元側ではないものの両面粘着テープが剥がれ落ちるのと同時にフックが弾性復元力によって飛ぶことに変わりはなく、飛んだフックが机の下などに紛れ込んだりして煩わしさを覚えることがあった。
【課題を解決するための手段】
【０００７】
そこで、本発明は、上述した課題を解決するため、引き剥がしに伴ってフックなどの被取付物が飛ぶことのない延伸剥離テープを提供することを目的としている。
【０００８】
上述した目的を達成するため、本発明は以下に示すいくつかの特徴を備えている。請求項１に記載の発明は、 ゴム弾性を有するテープ基材の両面に粘着剤層を備え、壁面などの被取付面に対して吊下具などの被取付物を貼り付ける両面粘着テープを含み、上記両面粘着テープを上記被取付面とほぼ平行な方向に引っ張ることにより、上記粘着剤層の粘着力が弱められて、上記被取付面から引き剥がされる延伸剥離テープにおいて、上記両面粘着テープの一端側には、上記両面粘着テープを引き剥がす際に把持される把持部が設けられているとともに、上記両面粘着テープの他端側には、互いに対向する２つの角部から上記両面粘着テープの引張方向の中心線に向けて所定角度傾斜して切り込まれた第１および第２の２つの切れ目が、上記中心線を挟んで左右対称に非連結に設けられており、上記被取付面には、上記両面粘着テープを剥がした際に、上記切れ目に沿って切断された上記粘着テープの残部が、上記被取付物を支持した状態で、塑性変形によって変形前の上記両面粘着テープの粘着力よりも粘着力が弱められて取り残されることを特徴としている。
【００１３】
請求項２に記載の発明は、上記請求項１において、上記残部は、上記両面粘着テープの体積の３〜１２％が取り残されることを特徴としている。
【００１４】
請求項３に記載の発明は、上記請求項１または２において、上記残部は、台形状であることを特徴としている。
【発明の効果】
【００１５】
本発明によれば、延伸剥離テープの角部から中心に向かって斜めに２本の切れ目を設けておくことにより、両面粘着テープを引き剥がしていった際に、各切れ目の先端からテープが破断して、台形状の残部が被取付物と壁面との間に残り、残部によって被取付物が保持されるため、飛ぶことを確実に防止できる。
【発明を実施するための最良の形態】
【００１６】
次に、本発明の実施形態について図面を参照しながら説明するが、本発明はこの限りではない。図１は、本発明の一実施形態に係る延伸剥離テープの分解斜視図であり、図２はその要部断面図であり、図３（ａ），（ｂ）は、延伸剥離テープの切れ目の拡大平面図である。
【００１７】
この延伸剥離テープ１は、例えばゴムなどの高弾性特性を有するテープ基材２の両面に粘着剤層３を形成した両面粘着テープからなり、各粘着剤層の表面には、未使用の粘着面を保護するための保護シート４，４が設けられている。本発明において、保護シート４，４は任意的事項である。
【００１８】
テープ基材２は、この例において、厚さ６００μｍのポリエチレン製の発泡体シートを縦６２ｍｍ×横１８．５ｍｍの短冊状に形成したものからなる。この例において、テープ基材２は、ポリエチレン製樹脂の発泡体シートが用いられているが、これ以外に、ゴム弾性を有し延伸剥離性が得られる基材であれば、その材質は任意である。また、サイズも仕様に応じて任意であってよい。
【００１９】
粘着剤層３，３はともに同一構成であり、この例ではアクリル系粘着剤が所定厚さで一様に塗布されている。本発明において、粘着剤層３は、粘着剤層３を含む延伸剥離テープ１の厚さ１．５ｍｍ以下であればよく、粘着剤層３を構成する粘着剤は被取付物や壁面の仕様に応じて、任意に選択されてよい。
【００２０】
延伸剥離テープ１の一端（図１では左端）には、延伸剥離テープ１を剥がし取る際に、延伸剥離テープ１を手によって把持するための把持部１１，１１が設けられている。把持部１１，１１は、合成樹脂製のフィルムからなり、一方の面が各粘着剤層３，３に沿って貼着されている。把持部１１，１１の具体的な構成については任意である。なお、把持部１１，１１を設けずに、把持部１１，１１に相当する延伸剥離テープ１の粘着剤層３，３の一部を弱めて把持部１１，１１としてもよい。
【００２１】
延伸剥離テープ１の他端（図１では右端）には、延伸剥離テープ１を引き剥がす際に延伸剥離テープ１の一部を被取付面（図４のＷ）と被取付部（図４のＦ）との間に残すための切れ目５が設けられている。
【００２２】
図３（ａ）に示すように、切れ目５は、延伸剥離テープ１の互いに対向する一方の角部１２ａから中心線Ｌに向けて斜めに切り込まれた第１切れ目５ａと、他方の角部１２ｂから中心線Ｌに向けて斜めに切り込まれた第２切れ目５ｂとを有し、それらが引張方向の中心線Ｌを挟んで左右対称に設けられている。
【００２３】
第１切れ目５ａおよび第２切れ目５ｂは、延伸剥離テープ１の厚さ方向に沿って切り抜かれた切抜スリットからなり、各切れ目５ａ，５ｂの先端同士は、非連結とされている。この例において、各切れ目５ａ，５ｂは、切抜スリットであるが、図３（ｂ）に示すように、各切れ目５ａ，５ｂの端部同士を非連結のミシン目５ｃを設けてもよい。
【００２４】
これによれば、延伸剥離テープ１の使用時、すなわち壁面Ｗに貼り付けている際は、各切れ目５ａ，５ｂの端部同士を非連結とすることにより、フックＦに係る吊下力を延伸剥離テープ１の全面で受けることができる。
【００２５】
この例において、各切れ目５ａ，５ｂは、延伸剥離テープ１の厚さ方向に打ち抜かれているが、ミシン目や半抜き溝であってもよく、延伸時に切れ目５ａ，５ｂに沿って、引張応力を集中させて、切り離すことができれば、その形状は任意である。
【００２６】
各切れ目５ａ，５ｂは、延伸剥離テープ１を剥がした際に、壁面ＷとフックＦとの間に延伸剥離テープ１の体積の３〜１２％の残部が取り残されるように設けられていることが好ましい。
【００２７】
すなわち、図３（ａ）に示すように、各切れ目５ａ，５ｂは、基端から先端に至るまでの引張方向の長さＡが３〜６ｍｍで、かつ、各切れ目５ａ，５ｂの先端の間隔Ｂが０．３〜４ｍｍ以下となるように設けられていることにより、引き剥がした際に、図６（ａ）に示すような台形状の残部２ａが壁面ＷとフックＦとの間に残される。
【００２８】
また、延伸剥離テープ１を切り離し後は、残部２ａによってフックＦが最後まで壁面Ｗに保持されることにより、引き剥がし時にフックＦが手元に飛んでくることもないし、フックＦの取り外しも小さな力で簡単にできる。残部２ａは、延伸剥離テープ１の延伸時による塑性変形によって弾性力が弱められており、通常時よりも簡単に剥がし取ることができるようになっている。
【００２９】
次に、本発明の延伸剥離テープ１の使用手順の一例について図面を参照しながら説明する。まず、図１に示すように、延伸剥離テープ１の両面に設けられた保護シート４，４の一方を剥がし取って一方の粘着面３を露出させ、その一方の粘着面３へとフックＦの被貼付面を貼り付ける。
【００３０】
次に、図４に示すように、残りの保護シート４を剥がし取り、露出した粘着面３を壁面Ｗに貼り付ける。これにより、フックＦが延伸剥離テープ１を介して壁面Ｗに沿って保持される。このとき、フックＦの下端に延伸剥離テープ１の把持部１１が露出するように取り付けることが好ましい。
【００３１】
フックＦを壁面Ｗから取り外すにあたっては、まず、図４および図５（ａ）に示すように、一方の手でフックＦの下端から延伸剥離テープ１の把持部１１を把持し、他方の手でフックＦを軽く押さえる。
【００３２】
次に、把持部１１を壁面Ｗに沿って下に向かって引っ張る。これにより、図５（ｂ）に示すように、延伸剥離テープ１は、くびれるように下に向かって弾性変形しながら伸びてゆくとともに、各切れ目３ａ，３ｂに伝播して、各切れ目３ａ，３ｂが切り離されてゆく。
【００３３】
さらに、引き剥がしてゆくと、図５（ｃ）に示すように、延伸剥離テープ１は、各切れ目５ａ，５ｂの先端側に応力が集中して、その先端部分が極端にくびれてゆき、図５（ｄ）および図６に示すように、各切れ目５ａ，５ｂの先端に応力が集中して、延伸剥離テープ１は分断される。
【００３４】
これにより、図６（ａ）および（ｂ）に示すように、延伸剥離テープ１の本体は、フックＦと壁面Ｗの間から抜け落ちるとともに、フックＦは、残部２ａによって保持されるため、延伸剥離テープ１の弾性復元力によってフックＦが飛ぶのを防止できる。
【００３５】
壁面Ｗに残されたフックＦを図６（ａ）の左右矢印方向や図６（ｂ）の手前矢印方向に軽く引っ張ることにより、小さな力でフックＦを取り外すことができる。最後に、被取付面上に残った残部２ａを手で剥がすことで、完全に延伸剥離テープ１が除去される。
【００３６】
この例において、各切れ目５ａ，５ｂは、延伸剥離テープ１の角部１２ａ，１２ｂから中心方向に向かって切り込まれているが、残部２ａを形成可能であればよいため、その切り込み開始位置は、仕様に応じて任意である。
【００３７】
また、各切れ目５ａ，５ｂは、中心線Ｌを挟んで互いに左右に設けられていればよい。すなわち、図７に示すように、円弧状の曲線などであってもよく、その形状は任意である。
【図面の簡単な説明】
【００３８】
【図１】本発明の一実施形態に係る延伸剥離テープの分解斜視図。
【図２】上記延伸剥離テープの要部断面図。
【図３】（ａ）延伸剥離テープの切れ目の拡大正面図、（ｂ）上記切れ目の変形例を示す拡大正面図。
【図４】フックを延伸剥離テープを介して壁面に取り付けた状態の模式図。
【図５】（ａ）〜（ｄ）：延伸剥離テープの剥離手順の流れを示す模式図。
【図６】（ａ），（ｂ）フック部に残部が残った状態の正面図および側面図。
【図７】切れ目の変形例を示す正面図。
【符号の説明】
【００３９】
１  延伸剥離テープ
２  テープ基材
２ａ  残部
３  粘着剤層
４  保護シート
５  切れ目
５ａ  第１切れ目
５ｂ  第２切れ目
１１  把持部
１２ａ，１２ｂ  角部
Ｆ  フック
Ｗ  壁面
【図１】
0005129994.tif 000002
【図２】
0005129994.tif 000003
【図３】
0005129994.tif 000004
【図４】
0005129994.tif 000005
【図５】
0005129994.tif 000006
【図６】
0005129994.tif 000007
【図７】
0005129994.tif 000008